(57)【要約】      （修正有）【課題】生物生産において、作業の標準化が可能であり、かつ、前回の実績が次回の生産計画に反映されることが可能な、生物生産管理装置および生物生産管理システムを提供する。【解決手段】生物生産管理システムは、生物生産管理装置と、端末とを含み、生物生産管理装置及び端末は、通信回線網を介して相互に通信可能であ、生物生産管理装置が、生物生産管理装置であり、生物生産管理装置から出力される作業指令が、端末に送信され、生産現場作業統制手段は、端末から送信される作業情報に基づき生産現場の作業統制情報を生成し、生産統制手段は、端末から送信される生産物情報に基づき前記生産現場の生産物統制情報を生成する。【選択図】図１
2013215099.tif 000002
【特許請求の範囲】
【請求項１】
管理中央制御部及び実行指示部を含み、
前記管理中央制御部は、
生物生産の計画データを記憶する計画系管理記憶手段と、
生物生産の実行されたデータを記憶する実行系管理記憶手段と、
計画データと実行データの差分を記憶する蓄積系管理手段とを含み、
前記実行指示部は、
育成情報を生成する育成計画手段と、
前記育成情報に基づき育成スケジュールを管理する育成スケジュール管理手段と、
現場作業の作業統制情報を生成する現場作業統制手段と、
作業計画情報を生成する作業計画手段と、
作業指令を出力する作業指令手段と、
生産現場の作業統制情報を生成する生産現場作業統制手段と、
生産現場の生産物統制情報を生成する生産統制手段とを含み、
前記管理中央制御部において、
前記計画系管理記憶手段から管理の対象となる生物生産の生産現場に対応した計画データが抽出され、
前記実行指示部において、
前記育成計画手段は、前記抽出された計画データに基づいて前記生産現場での育成情報を生成し、
前記育成スケジュール管理手段は、前記育成情報に基づき育成スケジュール情報を生成し、
前記現場作業統制手段は、前記現場作業の作業統制情報を生成し、
前記作業計画手段は、前記育成スケジュール情報及び前記現場作業の作業統制情報に基づき前記生産現場での作業計画情報を生成し、
前記作業指令手段は、前記作業計画情報に基づき作業指令を出力し、
前記生産現場作業統制手段は、前記生産現場の作業統制情報を生成し、
前記生産統制手段は、前記生産現場の生産物統制情報を生成し、
前記管理中央制御部において、
前記実行系管理記憶手段は、前記生産現場の作業統制情報及び前記生産現場の生産物統制情報を記憶し、
前記蓄積系管理記憶手段は、前記生産現場における前記計画データと前記生産現場の作業統制情報及び前記生産現場の生産物統制情報との差分を記憶し、
前記計画系管理記憶手段では、前記差分に基づき、前記記憶されている計画データを更新する
ことを特徴とする生物生産管理装置。
【請求項２】
前記実行指示部は、さらに、作業監視手段を含み、前記作業監視手段は、前記生産現場の作業状態情報を生成し、
前記作業指令手段は、前記作業状態情報に基づき作業指令を出力することを特徴とする請求項１記載の生物生産管理装置。
【請求項３】
前記実行指示部は、前記実行指示部全体を統括管理する全体統制手段を含むことを特徴とする請求項１または２記載の生物生産管理装置。
【請求項４】
さらに、生産物管理情報を生成する生産物管理部を含み、
前記管理中央制御部において、前記計画系管理記憶手段は、前記生産物管理情報を基に計画データを更新することを特徴とする請求項１から３のいずれか一項に記載の生物生産管理装置。
【請求項５】
前記生物生産が、畜産であることを特徴とする請求項１から４のいずれか一項に記載の生物生産管理装置。
【請求項６】
生物生産管理装置と、端末とを含み、
前記生物生産管理装置及び前記端末は、通信回線網を介して相互に通信可能であり、
前記生物生産管理装置が、請求項１から５のいずれか一項に記載の生物生産管理装置であり、
前記生物生産管理装置から出力される作業指令が、前記端末に送信され、
前記生産現場作業統制手段は、前記端末から送信される作業情報に基づき前記生産現場の作業統制情報を生成し、
前記生産統制手段は、前記端末から送信される生産物情報に基づき前記生産現場の生産物統制情報を生成することを特徴とする生物生産管理システム。
【請求項７】
さらに、生産現場の情報を取得するための生産現場情報取得手段を含み、
前記生物生産管理装置及び前記生産現場情報取得手段が、通信回線網を介して相互に通信可能であり、
前記生産現場作業統制手段は、前記生産現場情報取得手段から送信される作業情報に基づき前記生産現場の作業統制情報を生成し、
前記生産統制手段は、前記生産現場情報取得手段から送信される生産物情報に基づき前記生産現場の生産物統制情報を生成することを特徴とする請求項６記載の生物生産管理システム。
【発明の詳細な説明】
【技術分野】
【０００１】
本発明は、生物生産管理装置及び生物生産管理システムに関する。
【背景技術】
【０００２】
農業、水産業、畜産業等の生物生産の分野では、人の勘又は経験値に頼った作業が主流を占めているが、就業人口の減少及び就業者の高齢化に伴い、作業の標準化が求められている。これに対し、最近では、生産環境を人工的にコントロールし作業を標準化した植物工場が開発され、実際に野菜等の生産物が出荷されている（特許文献１）。
【先行技術文献】
【特許文献】
【０００３】
【特許文献１】特開２０１１−１４７４１３号公報
【発明の概要】
【発明が解決しようとする課題】
【０００４】
しかし、植物工場は、生産環境を人工的にコントロールすることを前提にしているため、農業等のように自然環境の下で行う生物生産に関しては、未だ作業の標準化は不十分であるといえる。また、勘又は経験値で行う生産では、水害又は干ばつ等のように突発的に起こる災害に全体的に対応できず、対応できたとしても、その経験が全ての就業者に反映されて次回の生産に活かされるのは困難である。
【０００５】
そこで、本発明は、生物生産において、作業の標準化が可能であり、かつ、前回の実績が次回の生産計画に反映されることが可能な、生物生産管理装置及び生物生産管理システムの提供を目的とする。
【課題を解決するための手段】
【０００６】
前記目的を達成するために、本発明の生物生産管理装置は、
管理中央制御部及び実行指示部を含み、
前記管理中央制御部は、
生物生産の計画データを記憶する計画系管理記憶手段と、
生物生産の実行されたデータを記憶する実行系管理記憶手段と、
計画データと実行データの差分を記憶する蓄積系管理手段とを含み、
前記実行指示部は、
育成情報を生成する育成計画手段と、
前記育成情報に基づき育成スケジュールを管理する育成スケジュール管理手段と、
現場作業の作業統制情報を生成する現場作業統制手段と、
作業計画情報を生成する作業計画手段と、
作業指令を出力する作業指令手段と、
生産現場の作業統制情報を生成する生産現場作業統制手段と、
生産現場の生産物統制情報を生成する生産統制手段とを含み、
前記管理中央制御部において、
前記計画系管理記憶手段から管理の対象となる生物生産の生産現場に対応した計画データが抽出され、
前記実行指示部において、
前記育成計画手段は、前記抽出された計画データに基づいて前記生産現場での育成情報を生成し、
前記育成スケジュール管理手段は、前記育成情報に基づき育成スケジュール情報を生成し、
前記現場作業統制手段は、前記現場作業の作業統制情報を生成し、
前記作業計画手段は、前記育成スケジュール情報及び前記現場作業の作業統制情報に基づき前記生産現場での作業計画情報を生成し、
前記作業指令手段は、前記作業計画情報に基づき作業指令を出力し、
前記生産現場作業統制手段は、前記生産現場の作業統制情報を生成し、
前記生産統制手段は、前記生産現場の生産物統制情報を生成し、
前記管理中央制御部において、
前記実行系管理記憶手段は、前記生産現場の作業統制情報及び前記生産現場の生産物統制情報を記憶し、
前記蓄積系管理記憶手段は、前記生産現場における前記計画データと前記生産現場の作業統制情報及び前記生産現場の生産物統制情報との差分を記憶し、
前記計画系管理記憶手段では、前記差分に基づき、前記記憶されている計画データを更新する
ことを特徴とする。
【０００７】
次に、本発明の生物生産管理システムは、
生物生産管理装置と、端末とを含み、
前記生物生産管理装置及び前記端末は、通信回線網を介して相互に通信可能であり、
前記生物生産管理装置が、前記本発明の生物生産管理装置であり、
前記生物生産管理装置から出力される作業指令が、前記端末に送信され、
前記生産現場作業統制手段は、前記端末から送信される作業情報に基づき前記生産現場の作業統制情報を生成し、
前記生産統制手段は、前記端末から送信される生産物情報に基づき前記生産現場の生産物統制情報を生成することを特徴とする。
【発明の効果】
【０００８】
本発明によれば、生物生産において、作業の標準化が可能であり、かつ、前回の実績が次回の生産計画に反映されることが可能な、生物生産管理装置および生物生産管理システムを提供できる。
【図面の簡単な説明】
【０００９】
【図１】図１は、本発明の生物生産管理システムの一例の構成を示す説明図である。
【図２】図２は、本発明の生物生産管理装置の一例の構成を示すブロック図である。
【図３】図３は、前記生物生産管理装置の構成を示すブロック図である。
【図４】図４は、本発明における、計画データおよび実行データのデータ構造の一例を説明する図である。
【図５】図５は、前記生物生産管理装置の管理中央制御部における処理の流れの一例を示す図である。
【図６】図６は、本発明における、生物の育成データのデータ構造の一例を説明する図である。
【図７】図７は、本発明における、生物個体別情報の管理例を示す図である。
【図８】図８は、本発明における、飼育データのデータ構造の一例を説明する図である。
【図９】図９は、本発明における、飼育の管理例を示す図である。
【図１０】図１０は、前記生物生産管理装置の実行指示部における処理の流れの一例を示す図である。
【図１１】図１１は、前記生物生産管理装置の実行指示部における処理の流れの一例を示す図である。
【図１２】図１２は、前記生物生産管理システムにおける処理の流れの一例を示す図である。
【図１３】図１３は、生物育成方式マスターの一例を示す図である。
【発明を実施するための形態】
【００１０】
本発明の生物生産管理装置において、
前記実行指示部は、さらに、作業監視手段を含み、前記作業監視手段は、前記生産現場の作業状態情報を生成し、
前記作業指令手段は、前記作業状態情報に基づき作業指令を出力することが好ましい。
【００１１】
本発明の生物生産管理装置において、前記実行指示部は、前記実行指示部全体を統括管理する全体統制手段を含むことが好ましい。
【００１２】
本発明の生物生産管理装置において、さらに、生産物管理情報を生成する生産物管理部を含み、
前記管理中央制御部において、前記計画系管理記憶手段は、前記生産物管理情報を基に計画データを更新することが好ましい。
【００１３】
本発明の生物生産管理装置において、前記生物生産が、例えば、畜産であるという態様であってもよい。
【００１４】
本発明の生物生産管理システムにおいて、さらに、生産現場の情報を取得するための生産現場情報取得手段を含み、
前記生物生産管理装置及び前記生産現場情報取得手段が、通信回線網を介して相互に通信可能であり、
前記生産現場作業統制手段は、前記生産現場情報取得手段から送信される作業情報に基づき前記生産現場の作業統制情報を生成し、
前記生産統制手段は、前記生産現場情報取得手段から送信される生産物情報に基づき前記生産現場の生産物統制情報を生成することが好ましい。
【００１５】
以下、本発明の生物生産管理装置及び生物生産管理システムについて、例を挙げて詳細に説明する。ただし、本発明は、以下の実施形態に限定及び制限されない。
【００１６】
図１に、本発明の生物生産管理装置および生物生産管理システムの構成の一例を示す。本実施形態では、対象となる生物生産が畜産である場合を例にとり説明する。なお、以下の図１から図１３において、同一部分には、同一符号を付し、その説明を省略する場合がある。
【００１７】
（生物生産管理システム）
図１〜３に示すように、この生物生産管理システムは、生物生産管理装置と、端末５０とを含み、さらに、生産物管理部４を含む。生産物管理部４は、任意の構成要素であり、含まれなくともよいが、含まれることが好ましい。前記生物生産管理装置には、生産物管理部４が接続されている。この生物生産管理システムにおいては、前記生物生産管理装置と、生産現場（作業現場）３における端末５０とは、通信回線網を介して相互に通信可能である。前記通信回線網は、特に制限されず、公知の通信回線網を使用でき、具体的には、例えば、インターネット回線、電話回線、ＬＡＮ等があげられ、無線でもよいし、有線でもよい。
【００１８】
（生物生産管理装置）
前記生物生産管理装置は、管理中央制御部（センタークラウド）１と、実行指示部（ナビゲーションクラウド）２とを主要な構成要素として含む。管理中央制御部１は、計画系管理記憶手段１１１と、実行系管理記憶手段１１２と、蓄積系管理手段１１３とを含む。実行指示部２は、育成計画手段２１と、育成スケジュール管理手段２２と、現場作業統制手段２３と、作業計画手段２４と、作業指令手段２５と、生産現場作業統制手段２７と、生産統制手段２８とを含み、さらに、全体統制手段２６および作業監視手段２９を含む。全体統制手段２６および作業監視手段２９は、任意の構成要素であり、含まれなくともよいが、含まれることが好ましい。
【００１９】
（生物生産管理装置システムにおける処理の流れ）
つぎに、前記生物生産管理装置を用いた生物生産管理装置システムにおける処理の流れの一例を説明する。なお、本発明は、下記の例には限定されない。
【００２０】
計画系管理記憶手段１１１には、各種の生物生産の計画データが記憶されており、計画系管理記憶手段１１１から、畜産の生産現場に対応した計画データが抽出される。本実施形態では、家畜であるヤギの生産に対応した計画データが抽出される。なお、前記計画データは、前記家畜の種類等に応じて、適宜対応する計画データを抽出すればよい。
【００２１】
育成計画手段２１は、前記計画データに基づいて、畜産の生産現場での育成情報を生成する。前記育成情報は、例えば、カレント情報および実行指示部マスター等を参照してもよい。前記カレント情報は、例えば、リアルタイムに生成、更新される情報であり、具体的には、気候情報、天候情報、生物情報（生物状態情報等）、育成環境情報、飼料情報、手動による調整情報等があげられる。前記カレント情報は、例えば、実行指示部２におけるデータベース（カレント情報ＤＢ）に格納されている。前記カレント情報は、例えば、前記生物生産管理装置外部の情報を参照し、更新してもよい。前記外部情報は、例えば、前記生物生産管理装置以外のサーバ（例えば、クラウドサーバ）等に格納されている情報である。前記外部情報は、例えば、天候、購入品、ネットワーク工程表等があげられる。前記実行指示部マスターは、例えば、生物固有情報マスター、生物育成情報マスター、生物育成方式マスター、育成環境マスター、ＩＣＴ環境マスター等があげられる。詳細は後述する。前記実行指示部マスターは、例えば、実行指示部２におけるデータベース（実行指示部マスターＤＢ）に格納されている。
【００２２】
育成スケジュール管理手段２２は、前記育成情報に基づき育成スケジュール情報（作業概略情報）を生成し、現場作業統制手段２３は、現場作業の作業統制情報（作業詳細情報）を生成する。作業計画手段２４は、前記育成スケジュール情報（作業概略情報）及び前記現場作業の作業統制情報（作業詳細情報）に基づき、生産現場での作業計画情報（作業指示情報）を生成する。そして、作業指令手段２５は、前記作業計画情報に基づき、作業指令（ナビゲーション情報）を出力し、前記通信回線網を介して、生産現場３における端末５０に送信する。端末５０は、例えば、スマートフォン、ＰＣ等があげられる。このようにして、生産現場３における作業内容が生物生産管理装置から作業指令として送信されることで、生産現場３における作業の標準化が可能となる。前記ナビゲーション情報は、例えば、１日の作業開始時に、当日行う作業の情報等があげられる。
【００２３】
図１０および図１１に、前記計画データに基づく前記育成情報を生成から、前記作業指令（ナビゲーション情報）の出力までを、詳細に説明する。なお、本発明は、この例には限定されない。実行指示部２では、汎用的なモジュールである育成スケジュール管理手段２２が、各種データまたはパラメータを与えられることにより、概略のスケジュール（前記作業概略情報）を生成する。そして、育成スケジュール管理手段２２と現場作業統制手段２３とにより、生産現場で実行すべき情報（前記作業詳細情報）を生成する。具体的には、まず、育成計画手段２１は、前記計画データに基づいて、育成スケジュール管理手段２２において計算する基データを管理し、畜産の生産現場での育成情報を生成する。前記計画データは、例えば、生物の育成データ、過去の生物の育成データ、飼育のＰＤＣＡデータ、飼育のデータ、生産現場で発生している生物の状態と飼育データ（微調整のデータ）等である。前記育成情報には、例えば、前述のカレント情報および前述の実行指示部マスター等が付加されてもよい。前記カレント情報は、計画や予測が困難な生データであり、前記実行指示部マスターは、育成計画を調整するための参照データである。
【００２４】
育成スケジュール管理手段２２は、前述のように、汎用性を有するため、例えば、個々の作業者（例えば、農家）の特異性を吸収できる。育成スケジュール管理手段２２は、生物（家畜）の育成計画に合わせてリソースの実行予定を、汎用性を持たせて計算する。例えば、生物個体毎に出生日が異なるため、ある作業日に個体の生育時期を判別し、個体ごとに何をするかを、育成スケジュール管理手段２２により演算する。このようにして、前記作業概略情報を生成する。前記計算に汎用性を持たせているのは、生物は人工物と違い、生物個体別に微妙な違いや、農家毎の微妙な違い等があるためである。
【００２５】
つぎに、現場作業統制手段２３により、現時点の生産現場に合わせた詳細な実行予定を計算し、前記作業詳細情報を生成する。前記作業詳細情報の生成には、例えば、前記実行指示部マスターを参照してもよい。つぎに、作業計画手段２４により、上位の計算結果、すなわち、前記作業概略情報および前記作業詳細情報から、前記作業指示情報を生成する。そして、作業指令手段２５は、前記作業計画情報および後述する緊急作業指示情報を調整して、作業指令（ナビゲーション情報）を発行（出力）する。
【００２６】
つぎに、生産現場３において、端末５０に表示された前記ナビゲーション情報に基づき、作業を開始する。前記ナビゲーション情報は、例えば、音声によるものでもよい。そして、前記ナビゲーション情報に基づいた作業が終了した後、または、作業中に端末５０に作業情報（現場実績情報）および生産物情報（生産結果情報）を、作業者が入力する。なお、これらの情報は、生産現場３に付されている、ＲＦＩＤ等のＩＤタグ等を、端末５０で読み取ることで入力してもよい。前記現場実績情報は、例えば、作業単位での作業前のチェックおよび作業終了等である。具体的には、例えば、作業予定情報、作業実績情報、作業者（ヒト）による修正情報、生産現場３の実際の環境情報、排泄物情報等があげられる。前記生産結果情報は、例えば、生産物の生産量等である。前記現場実績情報および前記生産結果情報の入力は、例えば、端末５０への画面入力または音声入力等があげられる。前記現場実績情報は、端末５０から前記生物生産管理装置に、前記通信回線網を介して送信（報告）される。また、前記生産結果情報は、端末５０から前記生物生産管理装置に、前記通信回線網を介して送信（報告）される。前記現場実績情報は、例えば、作業監視手段２９により、自動更新および自動チェック（見える化）される。例えば、生産現場での作業にミスがあった場合は、作業監視手段２９は、作業状態情報（緊急作業指示情報）を生成する。そして、作業指令手段２５は、前記作業状態情報に基づき、別途の作業指令（ナビゲーション情報）を出力し、このナビゲーション情報が端末５０に、割り込みで通知（送信）される。なお、前記作業ミスは、例えば、遠隔操作により是正してよい。
【００２７】
本実施形態の生物生産管理システムは、例えば、図１２に示すように、生産現場３の情報を取得するための生産現場情報取得手段５１を含んでもよい。生産現場情報取得手段５１は、生産現場３を自動監視する。生産現場情報取得手段５１は、例えば、照度センサー、温度センサー、湿度センサー等があげられる。これらにより、例えば、前述の現場実績情報または前述の生産結果情報を取得する。取得された現場実績情報及び生産結果情報は、前記生物生産管理装置に、前記通信回線網を介して送信（報告）される。前記送信された現場実績情報及び生産結果情報は、例えば、作業監視手段２９により、自動更新および自動チェック（見える化）される。例えば、生産現場に異常があった場合は、前述と同様にして、別途のナビゲーション情報が端末５０に、割り込みで通知（送信）される。なお、前記生産現場の異常は、例えば、遠隔操作により是正してよい。
【００２８】
生産現場作業統制手段２７は、前記現場実績情報に基づいて生産現場の作業統制情報（現場報告情報）を生成する。生産統制手段２８は、前記生産物情報に基づいて生産現場の生産物統制情報（生産報告情報）を生成する。前記生産現場の作業統制情報及び前記生産現場の生産物統制情報は、実行系管理記憶手段１１２に記憶される。蓄積系管理手段１１３は、計画系管理記憶手段１１１から抽出された前記計画データと、前記生産現場の作業統制情報及び前記生産現場の生産物統制情報（実データ１２）とから得られる差分を記憶する。そして、計画系管理記憶手段１１１において、前記差分に基づき、計画系管理記憶手段１１１に記憶されている、今回抽出した計画データを更新する。本実施形態によれば、前記計画データに基づいて行った現場作業による実績である、前記生産現場の作業統制情報及び前記生産現場の生産物統制情報をフィードバックすることで、前回の実績が次回の生産計画に反映されることができる。
【００２９】
図５に、前述の差分取得方法および計画データの更新方法について、具体例を示して説明する。なお、本発明は、この例には限定されない。図５に示すように、作業ノウハウ手段１１４により、計画系管理記憶手段１１１に記憶されている計画データと、実行系管理記憶手段１１２に記憶されている、前記生産現場の作業統制情報及び前記生産現場の生産物統制情報（実データ１２）とを、例えば、一日単位で抽出して比較する（ステップＳ１）。つぎに、比較結果を学習する（ステップＳ２）とともに、記憶されている知識を使用する（ステップＳ３）。前記知識は、知識データベースに格納されており、例えば、環境知識、自己知識等があげられる。知識データベースは、例えば、人工知能技術の応用が考えられる。ただし、畜産等の生物生産には曖昧さがあり、曖昧さに対応するために、例えば、ＬＲＵ（Ｌｅａｓｔ  Ｒｅｃｅｎｔｌｙ  Ｕｓｅｄ）アルゴリズムを使用して、前記知識の候補を、前記知識データベースに格納しておく。そして、計画データの改善点決定の判断をする（ステップＳ４）。作業ノウハウ手段１１４は、例えば、強化学習技術を使用する。どの学習技術を使用するかによって、作業ノウハウ手段１１４内での処理が変更される。この判断結果は、蓄積手段１１５に記憶される。蓄積手段１１５に記憶された判断結果は、蓄積系管理手段１１３に、前記差分として記憶される。この差分に基づき、前述のように、前記計画データを更新する。このようにすることで、本実施形態の生物生産管理システムによれば、例えば、篤農家の暗黙知（すぐれた作業ノウハウ）を、日々の作業における計画情報（計画データ）→実行情報（実データ）からのＰＤＣＡサイクルを回す、すなわち、計画と実行結果の差分を改善データとして計画データを更新することで、形式知として、蓄積系ＤＢ（蓄積系管理手段１１３）に登録、改善、更新できる。
【００３０】
実行指示部２は、前述のように、全体統制手段２６を含む。全体統制手段２６は、実行指示部２全体を統括管理（マネジメント）する。具体的には、例えば、前記各種マスターの管理、実行指示部２の各種手段同士の連携管理等である。
【００３１】
本実施形態では、前述のように、前記生物生産管理装置の管理中央制御部１に、生産物管理部４が接続されている。生産物管理部４は、生産物管理情報を生成する。管理中央制御部１における計画系管理記憶手段１１１は、例えば、前記生産物管理情報に基づき、記憶されている計画データを更新してもよい。前記生産物管理情報は、例えば、生産物の流通情報、市場情報等があげられる。これらの情報により、例えば、生産品の生産時期、生産量等を管理する。
【００３２】
図４に、前記計画データのデータ構造の具体例を示す。なお、本発明は、この例には限定されない。図４に示すように、この計画データは、生物の一生（生物の生育）データと、生物を生育する（飼育）ためのデータの２つを、複数レベル（生物の一生、年間、月間、週間、一日単位など）に区別できるような形式のデータ構造を有する。すなわち、一生の中でのイベント（出産などの開始から終了）の内容を定義しておいて、年、月、週の管理は、そのイベントのオフセット（開始日、終了日をずらす調整情報）を管理し、年、月、週で管理する。イベントの開始オフセット（開始日をずらす調整）された日程から、当日（１日間）の作業を割り出す。飼育している全ての生物個体について、ある一日間の内容を割り出すことも可能である。このような計画データであれば、例えば、生物の一生、年間、月間、週間、一日間の単位で管理でき、一日単位で、個体単位での作業指令（ナビゲーション情報）の生成および見直しが可能であり、個体毎に成育差を標準値（マスター）に対して調整できる。また、一生の情報を個体別で一日単位で保持すると、メモリを大量に必要とするため、この計画データでは、イベント毎の内容をマッピング＋個体別調整するデータ構造とし、前記イベント以外では、餌を与える等の日々の飼育情報を割り当てる。ただし、成長による変化（餌の量など）の生育状況の調整も可能である。
【００３３】
図６に、前記計画データのデータ構造の具体例を示す。なお、本発明は、この例には限定されない。図６に示すように、この計画データは、生物の一生をレベル分けし、荒い育成計画から細かい育成計画でできるように、育成情報を定義したデータ構造を有する。すなわち、この計画データでは、最上位の階層が、例えば、「生物の一生」である生物生育情報階層１であり、次の階層が、例えば、「日々の生育」、「搾乳等の個別」等である生物生育情報階層２であり、次の階層が、例えば、「餌」、「小屋を汚す」、「夜間」等である生物生育情報階層３であり、次の階層が、例えば、「飼料」、「水」等である生物生育情報階層４である。この計画データは、例えば、さらに、下位の階層へと続いてもよい。
【００３４】
図７に、生物個体別情報のデータベース管理の具体例を示す。なお、本発明は、この例には限定されない。図７に示すように、この例では、前記生物個体別情報を、生物（ヤギ）基本情報テーブル、生物（ヤギ）治療情報テーブル、生物（ヤギ）出産情報テーブルおよび生物（ヤギ）詳細情報テーブルとで管理する。前記生物（ヤギ）基本情報テーブルにおける「治療ＩＤ」は、前記生物（ヤギ）治療情報テーブルにリンクしている。前記生物（ヤギ）基本情報テーブルにおける「出産ＩＤ」は、前記生物（ヤギ）出産情報テーブルにリンクしている。前記生物（ヤギ）基本情報テーブルにおける「生物（ヤギ）一生情報と詳細リンク情報」は、前記生物（ヤギ）詳細情報テーブルにリンクしている。
【００３５】
図８に、前記計画データのデータ構造の具体例を示す。なお、本発明は、この例には限定されない。図８に示すように、この計画データは、飼育方法をレベル分けし、荒い飼育計画から細かい飼育計画でできるように、飼育情報を定義したデータ構造を有する。すなわち、この計画データでは、最上位の階層が、例えば、「生物の一生の飼育」である生物飼育情報階層１であり、次の階層が、例えば、「日々の飼育」、「搾乳等の個別作業」等である生物飼育情報階層２であり、次の階層が、例えば、「餌を与える」、「清掃」、「夜間の監視」等である生物飼育情報階層３であり、次の階層が、例えば、「飼料を与える」、「水を与える」等である生物飼育情報階層４である。この計画データは、例えば、さらに、下位の階層へと続いてもよい。
【００３６】
図９に、飼育のデータベース管理の具体例を示す。なお、本発明は、この例には限定されない。図９に示すように、この例では、前記飼育を、飼育基本情報テーブル、飼育情報１テーブル、飼育情報２テーブルおよび飼育情報階層管理テーブルとで管理する。前記飼育基本情報テーブルにおける「他情報へのリンク」は、前記飼育情報テーブル１および前記飼育情報テーブル２にリンクしている。前記飼育情報テーブルにおける「飼育情報の上位／下位リンクとの詳細リンク」は、前記飼育情報階層管理テーブルにリンクしている。
【００３７】
前述のように、前記実行指示部マスターは、例えば、生物固有情報マスター、生物育成情報マスター、生物育成方式マスター、育成環境マスター、ＩＣＴ環境マスター等があげられる。前記生物固有情報マスターは、例えば、生物の成長過程（例えば、雄雌別の標準作業）、生物の繁殖手順（標準作業）等に関するマスターがあげられる。前記生物育成情報マスターは、例えば、生物の飼育項目（例えば、病気予防対策、飼料、排泄物対応等）、生物の治療項目（例えば、獣医対応手順）、生物からの生産手順項目（乳等、屠殺に関しては受け渡し情報）、生物の測定項目等に関するマスターがあげられる。前記生物育成方式マスターは、例えば、生産作業項目（例えば、大中小の項目：ＩＴ拒否反応を示す篤農家への対応）、作業者とのアクセス項目（例えば、初級者向け、篤農家向け等のレベル別の指令と報告の方式）等に関するマスターがあげられる。前記育成環境マスターは、例えば、生物生産環境の設定と調整項目（例えば、環境制御項目）、生物生産環境の自動制御項目等に関するマスターがあげられる。前記ＩＣＴ環境マスターは、例えば、インフラ項目（例えば、スマートグリッド連携方法、システム管理方法、ネットワーク方法、他連動方法）、クラウドメンテナンス（実行指示部２内制御パラメータ、他クラウド関連方法）、遠隔監視項目、遠隔操作項目等に関するマスターがあげられる。
【００３８】
前記生物固有情報マスターにおける、生物の成長過程および生物の繁殖手順について、ヤギを例に取り説明する。同マスターでは、生物の一生をマスター定義する。具体的には、例えば、日本ザーネン種および肉用在来種について、一生を横軸（月齢等）に取る。そして、両品種について、一生を雌雄別に、ほ育期、育成期、繁殖期に分ける。また、前記繁殖期については、雌雄別、品種別に、時期を表示する。具体的には、例えば、雄の場合、前記繁殖期について、「交配」を表示し、雌の場合、前記繁殖期について、「秋に交配−妊娠−春に分娩−泌乳」の反復を表示する。同マスターでは、例えば、さらに、地域等の育成環境に合わせてマスター調整を行ってもよい。
【００３９】
前記生物育成情報マスターにおける、生物の飼育項目について、ヤギを例に取り説明する。同マスターでは、ほ育期（子山羊）の管理、育成期（育成山羊）、繁殖期（妊娠山羊）、泌乳期（泌乳山羊）の管理等の飼育方法、搾乳方法等を表示する。
【００４０】
図１３に、生物育成方式マスターの具体例を示す。なお、本発明は、この例には限定されない。この例の生物育成方式マスターは、篤農家のノウハウをＩＣＴで蓄積するためのマスターである。図１３に示すように、実行指示部２において、実績（実データ１２）に基づく計画立案（前記計画データ更新）および指令（前記作業指令）を行う。前記作業指令に基づく実績（実データ１２）を収集する。つぎに、生産現場にＩＣＴ機器を導入して予実管理を行う。ＰＤＣＡサイクルを回してデータを分析し、ノウハウを管理中央制御部１のデータベース（蓄積系管理手段１１３）に蓄積する。このようにして、例えば、生物育成方式マスターの生成、更新を、ＩＣＴと組み合わせることにより、無理なく行える。
【００４１】
前記育成環境マスターについても、前述の生物育成方式マスターのように、ノウハウをＩＣＴで蓄積することにより、前記育成環境マスターの生成、更新を行える。このような育成環境マスターを参照すれば、例えば、畜産農業のＧＡＰ（Ｇｏｏｄ  Ａｇｒｉｃａｌｔｕｒａｌ  Ｐｒａｃｔｉｃｅ：農業生産工程管理）は存在しないが、前記ＧＡＰ相当の生産工程管理と連動できる。
【００４２】
前記ＩＣＴ環境マスターは、ＩＣＴ制御に関する設定情報である。畜産、農業等の生物生産におけるＩＴＣ化の課題（例えば、植物等の生物生産工場の課題）は、例えば、エネルギー消費が高いことである。したがって、生産現場において、可能な限り、再生可能エネルギーを使用することが望ましい。そこで、前記ＩＣＴ環境マスターを参照して、スマートグリッド連携インフラを利用するのが、エネルギー消費の点から優位であり、スマートグリッドと連携させるのが望ましい。この際、生物生産情報（生物育成（生育状態）状況など）と、生物生産環境情報(生産する小屋の装置など）との同期を取ることが好ましい。
【００４３】
また、前記ＩＣＴ環境マスターを参照して、例えば、スマートグリッド関連機器（スマートメータ、ＨＥＭＳ、ＦＥＭＳ等）を、実行指示部２の実行インフラ（例えば、生物工場内ローカル管理サーバー）によりコントロールするのが好ましい。
【産業上の利用可能性】
【００４４】
以上のように、本発明によれば、生物生産において、作業の標準化が可能であり、かつ、前回の実績が次回の生産計画に反映されることが可能な、生物生産管理装置および生物生産管理システムを提供できる。実施形態では、対象となる生物生産が畜産である場合について具体的に説明したが、本発明の対象となる生物生産は畜産に限られるものではなく、本発明は、農業、水産業等における作業の標準化が可能であり、かつ、前回の実績が次回の生産計画に反映されることが可能であり、幅広い分野に適用できる。
【符号の説明】
【００４５】
１      管理中央制御部
２      実行指示部
３      生産現場
４      生産物管理部
２１    育成計画手段
２２    育成スケジュール管理手段
２３    現場作業統制手段
２４    作業計画手段
２５    作業指令手段
２６    全体統制手段
２７    生産現場作業統制手段
２８    生産統制手段
２９    作業監視手段
５０    端末
５１    生産現場情報取得手段
１１１  計画系管理記憶手段
１１２  実行系管理記憶手段
１１３  蓄積系管理手段
１１４  作業ノウハウ手段
１１５  蓄積手段
【図１】
2013215099.tif 000003
【図２】
2013215099.tif 000004
【図３】
2013215099.tif 000005
【図４】
2013215099.tif 000006
【図５】
2013215099.tif 000007
【図６】
2013215099.tif 000008
【図７】
2013215099.tif 000009
【図８】
2013215099.tif 000010
【図９】
2013215099.tif 000011
【図１０】
2013215099.tif 000012
【図１１】
2013215099.tif 000013
【図１２】
2013215099.tif 000014
【図１３】
2013215099.tif 000015